(57)【要約】      （修正有）【課題】キャップの脱気筒本体への取り付けは容易であるが、キャップの脱気筒本体からの取り外しは容易にはできない脱気筒を提供する。【解決手段】脱気筒１は、通気筒部１２上方側部に嵌合孔１３を設けた脱気筒本体１０と、前記嵌合孔１３に嵌合するように形成された嵌合部を有する固定治具２０を内部に配置したキャップ３０と、を具える。さらに、前記嵌合部が、前記嵌合孔に、前記通気筒部の径方向外側から内側に嵌合し、前記固定治具が、前記嵌合部から前記キャップの径方向外側に延在し、前記キャップの内側表面により前記キャップの径方向内側に押圧されるように形成された突起部２３をさらに有する。【選択図】図１
0003151735.tif 000002
【実用新案登録請求の範囲】
【請求項１】
通気筒部上方側部に嵌合孔を設けた脱気筒本体と、
前記嵌合孔に嵌合するように形成された嵌合部を有する固定治具を内部に配置したキャップと、
を具えることを特徴とする脱気筒。
【請求項２】
前記嵌合部が、前記嵌合孔に、前記通気筒部の径方向外側から内側に嵌合することを特徴とする請求項１に記載の脱気筒。
【請求項３】
前記固定治具が、前記嵌合部から前記キャップの径方向外側に延在し、前記キャップの内側表面により前記キャップの径方向内側に押圧されるように形成された突起部をさらに有することを特徴とする請求項２に記載の脱気筒。
【考案の詳細な説明】
【技術分野】
【０００１】
本考案は、防水施工されたコンクリートスラブから発生する湿り空気を排出するための脱気筒に関するものである。
【背景技術】
【０００２】
建物の屋上の防水施工として、一般的には、コンクリートスラブの上に防水層が設置される。しかし、コンクリートスラブは硬化時に内在する水分および降雨や外気から浸入する水分を保持している。このような水分は太陽熱などによって熱せられると湿り空気となり、この湿り空気がコンクリートスラブ上に発生して膨張する。すると、この膨張した湿り空気が、施工した防水層を持ち上げ、時には防水層を破壊してしまう。また、コンクリートスラブや他の構造体から発生したガスが上昇した場合なども同様の問題が生ずる。そのため、従来から、コンクリートスラブ上に発生する湿り空気を排出し、防水層の破壊を防止するために、所定の間隔で脱気筒が設置されている（例えば、特許文献１〜３参照）。
なお、防水層とは、アスファルト防水、改質アスファルトシート防水、合成高分子系シート防水、塗膜（ウレタン、ＦＲＰ）防水等の総称である。
【先行技術文献】
【特許文献】
【０００３】
【特許文献１】登録実用新案第３１４４７７０号公報
【特許文献２】特開２００５−２０７１６８号公報
【特許文献３】登録実用新案第３１０２５９８号公報
【考案の概要】
【考案が解決しようとする課題】
【０００４】
上述した従来の脱気筒は、脱気筒本体と、脱気筒本体に被せて雨水等の浸入を防止するためのキャップ（外筒）とで構成されている。ここで、キャップは多くの場合外側からネジによって脱気筒本体に固定されている。それゆえ、キャップと脱気筒本体との固定は簡便であり、かつ、作業性も良好である。しかしその反面、脱気筒は屋外に長期間にわたって設置されるため、風雨や振動によってネジがゆるむおそれがあった。さらに、キャップの取り外しが容易であるために、近年の治安の悪化から第三者による悪戯や盗み等でキャップが取り外されるという問題も懸念される。
【０００５】
そこで、本考案の目的は、キャップの脱気筒本体への取り付けは容易であるが、キャップの脱気筒本体からの取り外しは容易にはできない脱気筒を提供することにある。
【課題を解決するための手段】
【０００６】
本考案の脱気筒は、通気筒部上方側部に嵌合孔を設けた脱気筒本体と、前記嵌合孔に嵌合するように形成された嵌合部を有する固定治具を内部に配置したキャップと、を具えることを特徴とするものである。
【０００７】
また、本考案の脱気筒は、前記嵌合部が、前記嵌合孔に、前記通気筒部の径方向外側から内側に嵌合することが好適である。
【０００８】
また、本考案の脱気筒は、前記固定治具が、前記嵌合部から前記キャップの径方向外側に延在し、前記キャップの内側表面により前記キャップの径方向内側に押圧されるように形成された突起部をさらに有することが好適である。
【考案の効果】
【０００９】
本考案により、キャップの脱気筒本体への取り付けは容易であるが、その取り付け後にあってはキャップが脱気筒本体に確実に固定され、脱気筒本体からキャップを容易に取り外しできない脱気筒を提供することができる。
【図面の簡単な説明】
【００１０】
【図１】本考案の第１実施例を示す脱気筒の分解斜視図である。
【図２】（ａ）はキャップ内に配置前の固定治具の断面図であり、（ｂ）は固定治具が配置されたキャップの斜視図である。
【図３】（ａ）〜（ｃ）は、固定治具が配置されたキャップを脱気筒本体に取り付ける様子を説明するための図である。
【図４】本考案の第１実施例を示す脱気筒の断面図である。
【図５】本考案の第２実施例を示す脱気筒の断面図である。
【図６】本考案の脱気筒に用いる固定治具のその他の例を示す斜視図である。
【図７】本考案の脱気筒に用いる固定治具のその他の例を示す斜視図である。
【図８】（ａ）は本考案の脱気筒に用いる固定治具のその他の例を示す斜視図であり、（ｂ）は、その固定治具を配置したキャップの断面図である。
【図９】本考案の第３実施例を示す脱気筒の分解斜視図である。
【図１０】本考案の第３実施例を示す脱気筒の断面図である。
【図１１】（ａ）は本考案の脱気筒に用いる固定治具のその他の例を示す斜視図であり、（ｂ）は、その固定治具を配置したキャップの断面図である。
【考案を実施するための形態】
【００１１】
以下、図面を参照して本考案を詳細に説明する。
図１は本考案の第１実施例を示す脱気筒の分解斜視図である。
脱気筒１は、脱気筒本体１０と、後述する固定治具２０を内部に配置したキャップ３０と、によって構成されている。
脱気筒本体１０は、防水層の下に配置して、コンクリートスラブ上に固定するための平板部１１と、この平板部１１から上方に立ち上がる中空で筒状の通気筒部１２とを有している。この脱気筒本体１０の通気筒部１２の上方側部には、一対の嵌合孔１３が対向させて設けられている。コンクリートスラブから発生する湿り空気は、通気筒部１２の内側を通り、通気筒部１２の上部端の開口１４および嵌合孔１３を介して外部に排出される。
キャップ３０は、雨水等の浸入を防止するために脱気筒本体１０上に配置される。キャップ３０は、固定治具２０の全体を収納する大きさに形成してあり、図示のように内側天井部に固定治具２０の平滑部２２が固定されている。
キャップ３０内に配置される固定治具２０は、上記嵌合孔１３に嵌合する嵌合部として働き、対向配置された２つの第１屈曲部２１を有する。固定治具２０は、さらに、これらの２つの第１屈曲部２１に接続される２つの第２屈曲部２４と、これらの２つの第２屈曲部２４の間に延在する平滑部２２と、これらの２つの第１屈曲部２１からキャップ３０の径方向外側に向かって延在する２つの突起部２３と、を有している。
【００１２】
図２（ａ）はキャップ３０内に配置する前の固定治具２０の断面図、図２（ｂ）は固定治具２０の平滑部２２が固定されたキャップ３０の斜視図である。図３（ａ）〜（ｃ）は、固定治具２０の平滑部２２が固定されたキャップ３０を脱気筒本体１０に取り付ける様子を説明するための図である。
図２（ａ）に示すように、固定治具２０は、キャップ３０に配置される前、すなわち、固定治具２０単体の状態で、互いに対向するように形成された２つの突起部２３の先端部２３Ｅの外縁の長さｌ１は、キャップ３０の内径より若干長く設計されている。それゆえ、図３（ａ）に示すように、固定治具２０をキャップ３０内に挿入し、固定治具２０の平滑部２２をキャップ３０の内側天井部に固定させた状態では、突起部２３の先端部２３Ｅは、キャップ３０の内側表面と接触し、この内側表面により径方向内側に押圧された状態となっている。
図３（ａ）に示すように、固定治具２０をキャップ３０内に挿入し、固定治具２０の平滑部２２をキャップ３０の内側天井部に固定させた状態で、第１屈曲部２１間の長さｌ２Ａは脱気筒本体１０の通気筒部１２の外径Ｌ１０より短く設計されている。また、突起部２３の先端部２３Ｅがキャップ３０の内側表面に押されるので、第１屈曲部２１間の長さｌ２Ａは、図２（ａ）に示す、固定治具２０単体の状態の第１屈曲部２１間の長さｌ２より短くなっている。
【００１３】
ここで、図３（ａ）の状態から、固定治具２０を固定したキャップ３０を、脱気筒本体１０に接続するために、脱気筒本体１０の上方から図中矢印方向に押し込むと、通気筒部１２の先端部１２Ｅが突起部２３に接触し、突起部２３に対して摺動する。すると、通気筒部１２の先端部１２Ｅが突起部２３を径方向外側に押すことになり、第１屈曲部２１の屈曲角度θ１および第２屈曲部２４の屈曲角度θ２が減少する。さらにキャップ３０を脱気筒本体１０の上方から図中矢印方向に押し込むと、図３（ｂ）に示すように、第１屈曲部２１が通気筒部１２の外表面に接触する。さらにキャップ３０を脱気筒本体１０の上方から図中矢印方向に押し込むと、図３（ｃ）に示すように、第１屈曲部２１が嵌合孔１３に嵌合する。
このように、固定治具２０を用いることにより、簡便かつ良好な作業性をもってキャップ３０を脱気筒本体１０に取り付けることができ、キャップ３０を脱気筒本体１０に確実に固定することができる。
【００１４】
ここで、キャップ３０を脱気筒本体１０から取り外す場合を考える。図３（ｃ）に示す状態では、突起部２３の先端部２３Ｅがキャップ３０の内側表面を径方向外側に押す力が働いているので、第１屈曲部２１の上側面２１ａは通気筒部１２の径方向内側から外側に向かって通気筒部１２の下方に傾斜している。それゆえ、キャップ３０を脱気筒本体１０から取り外す方向（図中矢印と逆方向）に動かすと、嵌合孔１３の上側の通気筒部１２の下端１２Ｈは第１屈曲部２１の上側面２１ａに接触し、上側面２１ａに対して摺動し、径方向外側に移動する。これは、第１屈曲部２１が嵌合孔１３へ嵌合する方向の移動なので、第１屈曲部２１の嵌合孔１３への嵌合が容易に解かれることはない。このように、固定治具２０は、ネジ等を用いていないため、キャップ３０の固定が長期間にわたって保障される構造とすることができる。
【００１５】
図４は本考案の脱気筒の断面図であり、キャップ３０の脱気筒本体１０への取り付けが完了した状態を示す。キャップ３０は固定治具２０を完全に覆う形状であり、固定治具２０を外部から触ることができない。それゆえ、キャップ３０は、脱気筒本体１０に確実に固定されるので、上記のように自然に取り外れることなく、また、第三者によって悪戯や盗み等で容易に取り外されるおそれがなくなる。
【００１６】
以下、図面を参照しながら本考案のその他の実施例について説明する。上述した第１実施例と同様の部材には同一の参照符号を付してその説明を省略する。
図５は本考案の第２実施例を示す脱気筒の断面図である。
固定治具２０ｓの対向する２つの第１屈曲部２１ｓは、上記第１実施例とは逆に、通気筒部１２の径方向外側に屈曲し、第１屈曲部２１ｓから径方向内側に突起部２３ｓが延在している。これらの２つの第１屈曲部２１ｓは、径方向内側から嵌合孔１３に嵌合し、キャップ３０の脱気筒本体１０への簡便な取り付けを実現する。
【００１７】
図６は本考案の脱気筒に用いる固定治具のその他の例を示す斜視図である。
固定治具２０ｔは、４つの嵌合孔が設けられている脱気筒本体（図示省略）に取り付けられるものである。
固定治具２０ｔは、対向する２つの第１屈曲部２１−１、２１−２と、対向する２つの第１屈曲部２１−３、２１−４とを有している。これらの４つの第１屈曲部２１−１、２１−２、２１−３、２１−４がそれぞれ４つの嵌合孔に嵌合するため、上述した２つの嵌合孔１３に嵌合する場合と比較して、より強固な嵌合が達成され、キャップ３０の確実な固定が実現できるとともにキャップ３０の取り外しがさらに困難となる。
【００１８】
図７は本考案の脱気筒に用いる固定治具のその他の例を示す斜視図である。
固定治具２０ｕは、円形の平滑部２２ｕを有している。この平滑部２２ｕは、上述した長方形あるいは十字型の場合と比較して、キャップ３０の内側天井部に固定される面積が大きいのでより確実な固定が可能になるとともに、溶接する場合の位置決めを正確に行う必要がないので作業性も向上する。このように、平滑部２２ｕの形状は、キャップ３０の内側形状に合わせて適宜設計することができる。
【００１９】
図８（ａ）は本考案の脱気筒に用いる固定治具のその他の例を示す斜視図であり、図８（ｂ）は、その固定治具を配置したキャップの断面図である。
固定治具２０ｗは、嵌合孔１３に嵌合するための２つの第１屈曲部２１ｗを有し、上述した第１実施例の脱気筒本体に用いることができる。
【００２０】
上述した実施例は、複数の嵌合孔、これに嵌合する複数の屈曲部を具えた構造であったが、本考案はこれらに限定されることはない。
図９は本考案の第３実施例を示す脱気筒の分解斜視図であり、図１０は本考案の第３実施例を示す完成状態での脱気筒の断面図である。
通気筒部１２の上方側部には１つの嵌合孔１３が設けられている。
キャップ３０内に配置される固定治具２０ｒは、上記嵌合孔１３に嵌合するように１つの屈曲部２１を有する固定治具２０ｒを有している。
このように、嵌合孔１３およびこの嵌合孔１３に嵌合する屈曲部２１は１つでもよい。
【００２１】
図１１（ａ）は本考案の脱気筒に用いる固定治具のその他の例を示す斜視図であり、図１１（ｂ）は、その固定治具を配置したキャップの断面図である。
固定治具２０ｖは、嵌合孔１３に嵌合するように１つの屈曲部２１ｖを有し、上述した第３実施例の脱気筒本体に用いることができる。
なお、上述した固定治具は一例であり、本考案はこれらの実施例に限定されることはない。
【００２２】
脱気筒の材質はステンレス、非鉄金属およびプラスチック等を用いることができる。中でも、耐食性、耐候性、加工性、機械的特性（特に高弾性率）、経済性等を加味して総合的に判断すると、脱気筒の材質としてステンレスを用いることが好ましい。この場合、キャップの内側天井部と平滑部との固定は、スポット溶接を用いることが好ましい。しかし、固定方法はスポット溶接に限定されず、適当な接着剤を用いることもできる。
【符号の説明】
【００２３】
１      脱気筒
１０    脱気筒本体
１１    平板部
１２    通気筒部
１３    嵌合孔
１４    開口
２０    固定治具
２１    第１屈曲部
２２    平滑部
２３    突起部
２４    第２屈曲部
３０    キャップ
【図１】
0003151735.tif 000003
【図２】
0003151735.tif 000004
【図３】
0003151735.tif 000005
【図４】
0003151735.tif 000006
【図５】
0003151735.tif 000007
【図６】
0003151735.tif 000008
【図７】
0003151735.tif 000009
【図８】
0003151735.tif 000010
【図９】
0003151735.tif 000011
【図１０】
0003151735.tif 000012
【図１１】
0003151735.tif 000013